(57)【特許請求の範囲】
【請求項１】
ブロードキャスト情報を受信する方法であって、
モバイルブロードキャスト受信機が、マルチプルブロードキャストストリームを同時に受信し、第１の出力データ及び第２の出力データを得るためにブロードキャストストリームを処理することと、
さらなる処理またはディスプレイのために第１の外部デバイスに対して前記第1の出力データを送信することと、
さらなる処理またはディスプレイのために第２の外部デバイスに対して前記第２の出力データを送信することと、を備え、
前記第1の出力データは、前記ブロードキャストストリームからの第1のコンテンツを含み、前記第２の出力データは、前記ブロードキャストストリームからの第２のコンテンツを含み、
前記第１の外部デバイスは、前記第1のコンテンツをディスプレイし、前記第２の外部デバイスは、前記第２のコンテンツをディスプレイする、方法。
【請求項２】
前記モバイルブロードキャスト受信機が前記ブロードキャストストリームを処理することは、
前記第1の出力データ及び第２の出力データを得るために前記ブロードキャストストリームを復調し復号すること、
を備え、前記第１の外部デバイスは、前記第1のコンテンツを得るために前記第1の出力データを解凍し、前記第２の外部デバイスは、前記第２のコンテンツを得るために前記第２の出力データを解凍する、請求項１に記載の方法。
【請求項３】
前記モバイルブロードキャスト受信機が少なくとも１つのディスプレイユニット上で前記マルチプルブロードキャストストリームのうちの少なくとも１つをディスプレイすることと、
をさらに備えている、請求項１に記載の方法。
【請求項４】
モバイルブロードキャスト受信機のための装置であって、
マルチプルブロードキャストストリームを同時に受信し、第１の出力データ及び第２の出力データを得るためにブロードキャストストリームを処理するように構成された少なくとも１つのプロセッサと、
さらなる処理またはディスプレイのために第１の外部デバイスに対して前記第1の出力データを送信し、さらなる処理またはディスプレイのために第２の外部デバイスに対して前記第２の出力データを送信するように構成された通信ユニットと、を備え、
前記第1の出力データは、前記ブロードキャストストリームからの第1のコンテンツを含み、前記第２の出力データは、前記ブロードキャストストリームからの第２のコンテンツを含み、
前記第１の外部デバイスは、前記第1のコンテンツをディスプレイし、前記第２の外部デバイスは、前記第２のコンテンツをディスプレイする、装置。
【請求項５】
前記少なくとも１つのプロセッサは、
前記第1の出力データ及び第２の出力データを得るために前記ブロードキャストストリームを復調し復号するように、
構成されており、前記第１の外部デバイスは、前記第1のコンテンツを得るために、前記第1の出力データを解凍し、前記第２の外部デバイスは、前記第２のコンテンツを得るために前記第２の出力データを解凍する、請求項４に記載の装置。
【請求項６】
前記少なくとも１つのプロセッサは、
前記モバイルブロードキャスト受信機が少なくとも１つのディスプレイユニット上のディスプレイのために、前記マルチプルブロードキャストストリームのうちの少なくとも１つを提供するように、
さらに構成されている、請求項４に記載の装置。
【請求項７】
ブロードキャスト情報を受信するための装置であって、
マルチプルブロードキャストストリームを同時に受信し、第１の出力データ及び第２の出力データを得るためにモバイルブロードキャスト受信機においてブロードキャストストリームを処理するための手段と、
さらなる処理またはディスプレイのために第１の外部デバイスに対して前記第1の出力データを送信するための手段と、
さらなる処理またはディスプレイのために第２の外部デバイスに対して前記第2の出力データを送信するための手段と、を備え、
前記第1の出力データは、前記ブロードキャストストリームからの第1のコンテンツを備え、前記第２の出力データは、前記ブロードキャストストリームからの第２のコンテンツを備え、
前記第１の外部デバイスは、前記第1のコンテンツをディスプレイし、前記第２の外部デバイスは、前記第２のコンテンツをディスプレイする、装置。
【請求項８】
前記モバイルブロードキャスト受信機において、前記ブロードキャストストリームを処理するための前記手段は、
前記第1の出力データ及び第２の出力データを得るために前記ブロードキャストストリームを復調し復号するための手段、
を備え、前記第１の外部デバイスは、前記第1のコンテンツを得るために前記第1の出力データを解凍し、前記第２の外部デバイスは、前記第２のコンテンツを得るために前記第２の出力データを解凍する、請求項７に記載の装置。
【請求項９】
前記モバイルブロードキャスト受信機における少なくとも１つのディスプレイユニット上で前記マルチプルブロードキャストストリームのうちの少なくとも１つをディスプレイするための手段と、
をさらに備えている、請求項７に記載の装置。
【請求項１０】
ブロードキャスト情報を受信するための命令を備えているノントランジトリなコンピュータ可読記憶媒体であって、プロセッサによって実行されると、前記命令は、前記プロセッサに、
マルチプルブロードキャストストリームを同時に受信し、第１の出力データ及び第２の出力データを得るためモバイルブロードキャスト受信機においてブロードキャストストリームを処理させ、
さらなる処理またはディスプレイのために第１の外部デバイスに対して前記第1の出力データを送信させ、
さらなる処理またはディスプレイのために第２の外部デバイスに対して前記第２の出力データを送信させ、
前記第1の出力データは、前記ブロードキャストストリームからの第1のコンテンツを備え、前記第２の出力データは、前記ブロードキャストストリームからの第２のコンテンツを備え、
前記第１の外部デバイスは、前記第1のコンテンツをディスプレイし、前記第２の外部デバイスは、前記第２のコンテンツをディスプレイする、コンピュータ可読記憶媒体。
【請求項１１】
プロセッサによって実行されると、前記モバイルブロードキャスト受信機において前記ブロードキャストストリームを前記プロセッサに処理させる前記命令は、前記プロセッサに、
前記第1の出力データ及び第２の出力データを得るために前記ブロードキャストストリームを復調し復号させるように構成され、
前記第１の外部デバイスは、前記第1のコンテンツを得るために、前記第1の出力データを解凍し、前記第２の外部デバイスは、前記第２のコンテンツを得るために前記第２の出力データを解凍する、請求項１０に記載のコンピュータ可読記憶媒体。
【請求項１２】
前記媒体は、プロセッサによって実行されると、前記プロセッサに、
前記モバイルブロードキャスト受信機における少なくとも１つのディスプレイユニット上で前記マルチプルブロードキャストストリームのうちの少なくとも１つをディスプレイさせる、命令をさらに備えている請求項１０に記載のコンピュータ可読記憶媒体。
【発明の詳細な説明】
【優先権主張】
【０００１】
(米国特許法第１１９条の下の優先権主張)
本願は、ここにおける参照によってここによって明示的に組み込まれ、ここでの譲受人に譲渡され、２００８年5月２９日に出願され、「モバイルブロードキャスト受信機の性能とユーザエクスピエリエンスを改善する方法及び装置(METHOD AND APPARATUS FOR IMPROVING PERFORMANCE AND USER EXPERIENCE OF A MOBILE BROADCAST RECEIVER)」と題された、仮出願第６１／０５７，０８２号の優先権を主張する。
【背景】
【０００２】
（Ｉ．分野）
本開示は、一般的には通信に関し、より具体的には、ブロードキャスト情報を受信する技術に関する。
【０００３】
（ＩＩ.背景）
ブロードキャストシステムは、モバイルブロードキャスト受信機による受信用の様々なコンテンツを搬送する複数のチャネルをブロードキャストすることができる。モバイルブロードキャスト受信機は、地上及び／または衛生のブロードキャストシステムから、信号を受信することができる受信機であり、ユーザによって搬送されることが意図されている（静的でいる代わりに）。
【０００４】
モバイルブロードキャスト受信機(mobile broadcast receiver)を操作するユーザは、ユーザにとって関心のあるチャネルまたはコンテンツを選択することができる。コンテンツは、ストリーミングされたまたはリアルタイムの、オーディオ／ビデオまたはデータキャストコンテンツであってもよい。モバイルブロードキャスト受信機は、選択されたチャネルのための関連パラメータを決定し、その後で、復号されたデータを得るためにこれらのパラメータに従ってチャネルを復調し、復号することができる。モバイルブロードキャスト受信機は、選択されたチャネルにおいて送信されたコンテンツを得るために、復号されたデータをさらに処理することができる。モバイルブロードキャスト受信機は、選択されたチャネルを連続的に処理し、チャネルが受信について選択されるかぎり、ストリーミング方法でコンテンツを提供する。
【０００５】
モバイルブロードキャスト受信機は、制限されたユーザインタフェース及びディスプレイ機能を備えたポータブルデバイスであってもよい。そのような制限された機能でユーザエクスピエリエンス(user experience)及び性能を改善することは望ましい。
【発明の概要】
【０００６】
モバイルブロードキャスト受信機においてブロードキャスト情報を受信するための様々な技術がここにおいて記載される。これらの技術は、ユーザインタラクションを簡潔化にし、及び／または、モバイルブロードキャスト受信機の制限された機能でより多くの特徴及び柔軟性をサポートする。
【０００７】
一態様では、モバイルブロードキャスト受信機は、ユーザ通知(user notification)を提供し、及び／または、ブロードキャストコンテンツについてのユーザ嗜好(user preferences)に基づいてアプリケーションを自動的にローンチする(launches)。一設計では、モバイルブロードキャスト受信機は、時間期間にわたって、異なるブロードキャストコンテンツについてユーザ選択(user selections)を受信し、そのユーザ選択に基づいて、ブロードキャストコンテンツについてのユーザ嗜好を決定し、そして、ユーザ嗜好を保存する。モバイルブロードキャスト受信機は、その後で、入ってくるブロードキャストコンテンツ(incoming broadcast content)をモニタし、そして、その入ってくるブロードキャストコンテンツとユーザ嗜好に基づいて、ユーザ通知を提供する及び／またはアプリケーションを自動的にローンチする。
【０００８】
別の態様では、モバイルブロードキャスト受信機は、ユーザ入力／アクティビティのリアルタイムモニタリングに基づいて今後のチャネル選択(future channel selection)を予測することによって、チャネル切換時間(channel switching time)を改善する。一設計では、モバイルブロードキャスト受信機は、ユーザ入力に基づいてチャネルを予測し(例えばチャネルをハイライトするために)、チャネルの選択の前にその予測されたチャネルを処理し、ユーザによって選択される場合には、その予測されたチャネルからコンテンツを提供する。
【０００９】
別の態様では、モバイルブロードキャスト受信機は、ドラッグ・アンド・ドロップ・ユーザインタフェース(drag-and-drop user interface)をサポートする。一設計では、モバイルブロードキャスト受信機は、第１のウィンドウ上へハイライトされるチャネルをドラッグ・アンド・ドロップするためにユーザ入力を受信し、第１のウィンドウと関連づけられたアプリケーションをアクティベートし(activates)、アプリケーションでハイライトされるチャネルを処理し、第２のウィンドウ上でハイライトされるチャネルからのコンテンツをディスプレイする。第２のウィンドウのサイズ及び／または配置は、第１のウィンドウと関連づけられた情報に基づいて決定されることができる。
【００１０】
別の態様では、さらなる情報は、ブロードキャストストリームと関連づけられてもよく、そして、ブロードキャストストリームが選択されるときに提供される。さらなる情報は、製品情報、宣伝情報、チャネル情報等を備えることができる。一設計では、モバイルブロードキャスト受信機は、ブロードキャストストリームをディスプレイし、ブロードキャストストリームのユーザ選択を受信し、そのユーザ選択に応じてブロードキャストストリームと関連づけられたさらなる情報を検索し、そして、同じウィンドウにおいて、または、同じまたは異なるディスプレイユニット上で新しいディスプレイを開くことによって、ユーザに対してさらなる情報を提示する。
【００１１】
別の態様では、モバイルブロードキャスト受信機は、ブロードキャストストリームを部分的にあるいは完全に処理し、さらなる処理及び／またはディスプレイのために、外部デバイスに対して出力データを送信する。一設計では、出力データは、ブロードキャストストリームからのコンテンツを備え、外部デバイスは、コンテンツをディスプレイする。別の設計では、モバイルブロードキャスト受信機は、出力データを得るために、ブロードキャストストリームを復調し復号し、外部デバイスは、ブロードキャストストリームからのコンテンツを得るために、出力データを解凍する。モバイルブロードキャスト受信機はまた、処理及び／またはディスプレイのために１つまたは複数の更なる外部デバイスに対して出力データを送信することができ、あるいは、モバイルブロードキャスト受信機は、出力を受信するために、１以上のディスプレイを有することができる。
【００１２】
別の態様では、モバイルブロードキャスト受信機は、ライブコンテンツと保存されたコンテンツとを同時にディスプレイする。一設計では、モバイルブロードキャスト受信機は、ライブコンテンツを得るためにブロードキャストストリームを処理し、ライブコンテンツと共に保存されたコンテンツをディスプレイするためにユーザ選択を受信し、メモリから、保存されたコンテンツを検索し、そして、ライブコンテンツと保存されたコンテンツとを同時にディスプレイする。
【００１３】
別の態様では、モバイルブロードキャスト受信機は、マルチプルブロードキャストストリーム(multiple broadcast streams)を同時に受信し、そしてそれは、１以上のディスプレイユニット上でディスプレイされることができる。一設計では、マルチプルブロードキャストストリームは、モバイルブロードキャスト受信機における1つのディスプレイユニット上でディスプレイされる。別の設計では、第１のブロードキャストストリームは、モバイルブロードキャスト受信機における第１のディスプレイユニット上でディスプレイされ、第２のブロードキャストストリームは、外部デバイス(external device)における第２のディスプレイユニット上でディスプレイされる。さらに別の設計では、マルチプルブロードキャストストリームは、外部デバイスにおける1つのディスプレイユニット上でディスプレイされることができる。
【００１４】
別の態様では、モバイルブロードキャスト受信機は、ユーザ統計(user statistics)を集め、指定されたネットワークエンティティに戻って、その集められた統計を送信する。一設計では、モバイルブロードキャスト受信機は、時間の期間にわたってブロードキャストコンテンツについてのユーザ選択を受信し、そのユーザ選択に基づいて、ユーザ閲覧傾向(user viewing habits)の統計を決定し収集し、指定されたネットワークエンティティに対して、その集められた統計を報告する。
【００１５】
本開示の様々な態様及び特徴は、下記でさらに詳細に説明されている。
【図面の簡単な説明】
【００１６】
【図１】図１は、モバイルブロードキャスト受信機のブロック図を示す。
【図２】図２は、ユーザ通知及び／または自動アプリケーションローンチ(automatic application launch)でブロードキャストを受信するためのプロセスを示す。
【図３】図３は、モバイルブロードキャスト受信機における例示的なディスプレイスクリーンを示す。
【図４】図４は、チャネル予測を用いてブロードキャストを受信するためのプロセスを示す。
【図５】図５は、ドラッグ・アンド・ドロップ・ユーザインタフェースをサポートする、例示的なディスプレイスクリーンを示す。
【図６】図６は、ドラッグ・アンド・ドロップ特徴を備えたブロードキャストを受信するためのプロセスを示す。
【図７】図７は、さらなる情報を備えたブロードキャストを受信するためのプロセスを示す。
【図８】図８は、マルチプルデバイスでブロードキャストストリームを受信するためのプロセスを示す。
【図９】図９は、ライブコンテンツと保存されたコンテンツとをディスプレイするためのプロセスを示す。
【図１０】図１０は、マルチプルブロードキャストストリームを受信するためのプロセスを示す。
【図１１】図１１は、ユーザ統計を集め、報告するためのプロセスを示す。
【詳細な説明】
【００１７】
ここにおいて記載された技術は、様々なブロードキャストシステムとモバイルブロードキャスト標準規格を用いて、使用されることができる。そのようなシステム及び／または標準規格のいくつかの例は、限定されてはいないが、ＭｅｄｉａＦＬＯ、ハンドヘルド用のデジタルビデオブロードキャスティング（ＤＶＢ−Ｈ）、衛星用のデジタルビデオブロードキャスティング（ＤＶＢ−ＳＨ）、チャイナ・マルチメディアモバイルブロードキャスティング(China Multimedia Mobile Broadcasting)（ＣＭＭＢ）、そして、地上テレビブロードキャスティングのための集積されたサービスのデジタルブロードキャスティング(Integrated Services Digital Broadcasting for Terrestrial Television Broadcasting) (ＩＳＤＢ-Ｔ)システム、を含む。ＭｅｄｉａＦＬＯ、ＤＶＢ−Ｈ、及びＳＤＢ−Ｔは、地上通信ネットワークにわたるマルチメディアのデジタル送信をサポートする。ＭｅｄｉａＦＬＯは、２００６年８月付けの「地上モバイルマルチメディアマルチキャスト用の順方向リンク専用無線インタフェース仕様(Forward Link Only Air Interface Specification for Terrestrial Mobile Multimedia Multicast)」と題されたドキュメントＴＩＡ−１０９９で説明されている。ＤＶＢ−Ｈは、２００４年１１月付けの「デジタルビデオブロードキャスティング（ＤＶＢ）；地上デジタルテレビのためのフレーミングストラクチャ、チャネル符号化、及び変調(Digital Video Broadcasting (DVB); Framing Structure, Channel Coding and Modulation for Digital Terrestrial Television)」と題されたドキュメントＥＴＳＩ ＥＮ ３００ ７４４で説明されている。ＩＳＤＢ−Ｔは、２００３年７月付けの「地上デジタルテレビブロードキャスティングのための送信システム(Transmission System for Digital Terrestrial Television Broadcasting)」と題されたドキュメントＡＲＩＢ ＳＴＤ−Ｂ３１で説明されている。これらの文書は公的に入手可能である。
【００１８】
図１は、モバイルブロードキャスト受信機１１０の設計のブロック図を示しており、そしてそれは、ＭｅｄｉａＦＬＯ、ＤＶＢ−Ｈ、ＩＳＤＢ−Ｔ、及び／または、他のブロードキャストシステムを受信することができる。モバイルブロードキャスト受信機１１０は、スタンドアロンの受信機(stand-alone receiver)であってもよく、または、セルラ電話、携帯情報端末（ＰＤＡ）、ワイヤレス通信デバイス、ハンドヘルドデバイス、ワイヤレスモデム等の一部であってもよい。
【００１９】
モバイルブロードキャスト受信機１１０内では、アンテナ１１２は、ブロードキャスト局によって送信される信号を受信し（図１で図示されず）、受信機（ＲＣＶＲ）１１１４に対して受信された信号を提供する。受信機１１４は、受信された信号を条件づけ（例えば、フィルタにかけ、増幅し、周波数ダウンコンバートし、そしてデジタル化する）、サンプルを提供する。デモジュレータ／デコーダ（Ｄｅｍｏｄ／ｄｅｃｏｄｅｒ）１１６は、対象のチャネルのためのサンプルを復調し復号し、そして、復号されたデータを提供する。オーディオ／ビデオプロセッサ１１８は、復号されたデータを解凍し、チャネルからのコンテンツを提供する。解凍は、ビデオ復号、オーディオ復号、コンテンツ復号などを含むことができ、復号、解読等とも呼ばれることができる。出力ドライバ１２０は、コンテンツを処理し（例、アナログ変換し、フィルタにかけ、増幅し）、１つまたは複数の出力デバイス上の提示に適した１つまたは複数の出力信号を生成する。出力デバイス（単数または複数）は、ディスプレイユニット１２２（例、ＬＣＤスクリーン）、オーディオユニット１２４（例、拡声器）及び／または他の出力デバイスを含むことができる。
【００２０】
ユーザインタフェースユニット１２８は、キーパッド、タッチスクリーン及び／または他の入力デバイスを介してユーザ入力を受信する。コントローラ／プロセッサ１３０は、モバイルブロードキャスト受信機１１０において、オペレーションを指図する。メモリ１３２は、モバイルブロードキャスト受信機１１０内の処理装置によって使用されるプログラムコード及びデータを保存する。メモリ１３２はまた、１つまたは複数のチャネルからの復号されたデータ及び／またはコンテンツ、ユーザ入力及び選択、ブロードキャストについてのユーザ嗜好、等を保存することができる。通信（Ｃｏｍｍ）ユニット１３４は、外部デバイス１５０のような他の外部デバイスとの通信をサポートする。通信ユニット１３４はワイヤー・ライン通信（図１で図示されているような）及び／またはワイヤレス通信をサポートすることができる。
【００２１】
外部デバイス１５０は、ラップトップコンピュータ、デジタルテレビ、あるいは、ある他のコンピューティングまたはマルチメディアデバイスであってもよく、そしてそれは、例えば他の機能を有しない外部デバイスのような制限された機能を備えたデバイスを含んでいる。外部デバイス１５０内では、ビデオ／オーディオプロセッサ１５２は、復号されたデータを解凍し、コンテンツを提供する。出力ドライバ１５４は、ビデオ／オーディオプロセッサ１５２からコンテンツを処理し、ディスプレイユニット１５６及び／またはオーディオユニット１５８上の提示に適した１つまたは複数の出力信号を生成する。通信ユニット１６０は、モバイルブロードキャスト受信機１１０及び／または他のデバイスとのワイヤー・ライン及び／またはワイヤレス通信をサポートする。コントローラ／プロセッサ１６２は、外部デバイス１５０においてオペレーションを指図する。メモリ１６４は、外部デバイス１５０及び／または他のデータ内の処理装置によって使用されるプログラムコード及びデータを保存する。
【００２２】
モバイルブロードキャスト受信機１１０は、制限されたユーザインタフェースとディスプレイ機能を有することができる。様々な技術は、モバイルブロードキャスト受信機１１０におけるそのような制限された機能を備えた、性能とユーザエクスピエリエンスを改善するためにここにおいて記載されている。
【００２３】
一態様では、モバイルブロードキャスト受信機１１０は、異なるコンテンツのユーザ選択のようなユーザインタラクションの履歴、各ユーザ選択が行われた時間等を保持する。異なるコンテンツは、ニュース、スポーツの得点、株式相場、天気予報、交通情報、リアルタイムのビデオストリーム、リアルタイムオーディオ・ストリーム、ノンリアル・タイム・ビデオ・クリップ、ノンリアル・タイム・オーディオ・クリップなどを含むことができる。モバイルブロードキャスト受信機１１０は、ユーザインタラクションの履歴に基づいて、異なるコンテンツについてのユーザ嗜好、異なるコンテンツについての優先度の順序、異なるコンテンツについての好まれた閲覧回数を決定することができる。一設計では、ユーザ選択がなされるときはいつでも、モバイルブロードキャスト受信機１１０は、選択されるコンテンツ、選択の時間等を決定する。モバイルブロードキャスト受信機１１０は、例えば選択されたコンテンツのカウントをインクリメントし、選択の時間を記すことによって、ユーザ嗜好を更新する。モバイルブロードキャスト受信機１１０は、各タイプのコンテンツが選択される回数に基づいて、異なるコンテンツについてのユーザ嗜好を決定することができる。
【００２４】
ユーザはさらに、ユーザ嗜好を明示的に入力することができる。例えば、ユーザによって好まれるコンテンツのタイプ、各タイプのコンテンツが望まれる間のタイムウィンドウ、各タイプのコンテンツについてのアプリケーション自動ローンチまたは通知を望むかどうか、等を入力することができる。ブロードキャスト１１０は、ユーザによって入力されたユーザ嗜好、及び／または、ユーザインタラクションから学習されたユーザ嗜好、を保存することができる。
【００２５】
モバイルブロードキャスト受信機１１０は、バックグラウンドにおいてブロードキャスト情報を受信することができる。ブロードキャスト情報は、ユーザによって消費される、あるいは、ディスカードされる（保存されない）ことを意図されるリアルタイムストリーミングコンテンツを含むことができる。モバイルブロードキャスト受信機１１０は、モバイルブロードキャスト受信機上で、入ってくるコンテンツ及び／または保存された番組ガイドデータをモニタすることができ、ユーザ嗜好に基づいて、ユーザに通知する、及び／または、アプリケーションを自動的にローンチすることができる。例えば、入ってくるコンテンツがユーザの好むコンテンツのうちの１つに整合する場合には、モバイルブロードキャスト受信機１１０は、ディスプレイユニット１２２上で入ってくるコンテンツのアラートをディスプレイし、オーディオユニット１２４上で入ってくるコンテンツのアラートをアナウンスし、及び／または、入ってくるコンテンツと関連づけられたアプリケーションを自動的にローンチすることができる。ユーザ通知は、入ってくるコンテンツのユーザ選択をもたらすことができ、モバイルブロードキャスト受信機１１０は、ユーザによって命令されるように、入ってくるコンテンツを処理することができる。ローンチされたアプリケーションは、ストリーミングデータまたはａ／ｖコンテンツを開始することができ、または、ユーザに入力するように促す（再生する、再生しない、メモリに保存する、無視する等）。
【００２６】
モバイルブロードキャスト受信機１１０は、ユーザに通知することができる、及び/または、いつでもユーザ嗜好に基づいてアプリケーションを自動的にローンチすることができる。代替的に、この特徴は、ある時間の間のみ、例えば作業時間の後だけ、イネーブルにされることができる。
【００２７】
図２は、ユーザ通知、及び／または、自動アプリケーションローンチで、ブロードキャスト情報を受信するためのプロセス２００の設計を示す。プロセス２００は、モバイルブロードキャスト受信機１１０によって実行されることができる。異なるブロードキャストコンテンツについてのユーザ選択は、時間期間にわたって受信されることができる（ブロック２１２）。ブロードキャストコンテンツについてのユーザ嗜好は、ユーザ選択に基づいて決定されることができる(ブロック２１４）。代替的にまたは追加的に、ブロードキャストコンテンツについてのユーザの選択は、ユーザ入力に基づいて識別されることができる。ブロードキャストコンテンツについてのユーザ嗜好は保存されることができる（ブロック２１６）。入ってくるブロードキャストコンテンツは、限定されないが、電子番組ガイド（ＥＰＧ）データ、関連メタデータ等を含んでおり、モバイルブロードキャスト受信機においてモニタされることができる（ブロック２１８）。モバイルブロードキャスト受信機は、例えば終始または指定された時間の間のみ、ブロードキャストコンテンツのユーザ嗜好と入ってくるブロードキャストコンテンツに基づいて、アプリケーションを自動的にローンチする及び／またはユーザ通知を提供することができる（ブロック２２０）。
【００２８】
ユーザが受信のための新しいチャネルを選択するときにはいつでも、モバイルブロードキャスト受信機１１０は、新しいチャネルからコンテンツを獲得し、処理し、ディスプレイするために１セットのタスクを実行することができる。これらのタスクは新しいチャネルについての関連パラメータを得て、そのパラメータにしたがって新しいチャネルを復号し、そして、新しいチャネルからコンテンツを得るために復号されたデータを解凍することを含むことができる。チャネルを変更するのに必要とされた時間量は、例えば１秒以上のように、比較的長くてもよい。モバイルブロードキャスト受信機１１０は、古いチャネルから最後に復号されたフレームでディスプレイをフリーズさせる(freeze)、または、新しいチャネルを獲得し処理する時間の間にディスプレイをブランクにする、ことができる。しかしながら、ディスプレイをフリーズさせる、または、ブランクにすることは、ユーザにとって煩わしい。
【００２９】
別の態様では、モバイルブロードキャスト受信機１１０は、ユーザ入力／アクティビティのリアルタイムモニタリングに基づいて、今後のチャネル選択を予測することによって、チャネル切換時間を改善する。モバイルブロードキャスト受信機１１０は、ユーザによって選択されうるチャネルを予測することができ、そして、より早いチャネル切換を達成するために、ユーザによる選択の前に、予測されたチャネルを復調し復号することができる。
【００３０】
図３は、モバイルブロードキャスト受信機１１０における例示的なディスプレイスクリーン３００を示す。この例では、ディスプレイスクリーン３００は、メインエリア３１０とディスプレイウィンドウ３２０を含む。メインエリア３１０は、現在選択されたチャネルからのコンテンツ、メニュー、アイコンなどを示すことができる。ディスプレイウィンドウ３２０は、電子サービスガイド（ＥＳＧ）を示し、それはまた、番組ガイド、チャネルガイドなどと呼ばれる。ＥＳＧは、様々なチャネルと、各チャネルのコンテンツをリストすることができる。一般に、ディスプレイスクリーン３００は、いずれのタイプのコンテンツのための任意の数のエリア及びウィンドウを含むことができる。
【００３１】
ユーザは、モバイルブロードキャスト受信機１１０上で、適切なキー（例、「ＥＳＧ」キー）をクリックすることにより、いつでもＥＳＧを提示することができる(may bring up)。モバイルブロードキャスト受信機１１０はまた、ユーザが指定されたキーのセットのうちのいずれかをクリックする場合には、ＥＳＧを自動的に提示することができ、または、ＥＳＧは、履歴、プロファイル、優先度等に基づいて自動的に提示されることができる（例えば、ＥＳＧデータは、私が興味を持つかもしれない番組が放映されることを示すので、ＭＢＲは、ＥＳＧをローンチし、視聴する、録画するなどのオプションと共にプログラムを私に通知する)。いずれの場合も、モバイルブロードキャスト受信機１１０は、次のチャネル選択を予測するためにＥＳＧを通じてユーザナビゲーションをモニタすることができる。
【００３２】
図３で示される例では、ＥＳＧは、チャネルのリストとそれらのコンテンツをディスプレイする。カーソル３２２は、現在ハイライトされているチャネルを示す。カーソル３２２は、ユーザキーアクションに応じてＥＳＧを上下に動かす。ユーザがディスプレイウィンドウ３２０の上または下を通過してカーソルを動かす場合には（または、時間に関らずにスクロールするときには、ＴＶ ＥＳＧ上で横に(horizontal like on a TV ESG when scrolling though time)）、ＥＳＧの別のセクションは、検索されることができ、ディスプレイウィンドウ３２０上でディスプレイされることができる。
【００３３】
一設計では、モバイルブロードキャスト受信機１１０は、ユーザによって現在ハイライトされているが、ユーザによる即時の閲覧(immediate viewing)について選択されなかったかもしれない、チャネル／パケット／バーストを復調し復号する。ユーザはＥＳＧを通じてスクロールしてもよく、また、現在ハイライトされるチャネルは、「スクロールアップ(scroll up)」あるいは１つの「スクロールダウン(scroll down)」コマンドによって決定されることができる。ユーザはまた、例えばキーパッドを介して、特定チャネルを入力することができ、その入力されたチャネルは、ハイライトされることができる。いずれの場合においても、モバイルブロードキャスト受信機１１０は、チャネル切換時間を改善するために、その選択の前に、現在ハイライトされるチャネルを復調し復号することができる。モバイルブロードキャスト受信機１１０は、チャネルがユーザによって選択される場合、またチャネルがユーザによって選択されるときに、チャネルをより速くディスプレイすることができる。
【００３４】
別の設計では、モバイルブロードキャスト受信機１１０は、ユーザによる今後のチャネル選択を予測することができ、ユーザによって選択されうるチャネルを復調し復号する（または、私がスクロールする直前または私がスクロールすることに続いて近隣チャネル上でパケットを開くことによって、開始するために選択することができる）。モバイルブロードキャスト受信機１１０は、チャネルシーケンスをモニタし、そして、スクロールの方向、スクロールのスピード、スクロールの方法などのような情報に基づいて、チャネルを予測することができる。モバイルブロードキャスト受信機１１０は、スクロールの方向及びスピードに基づいて予測されたチャネルを決定することができ、その予測されたチャネルは、現在ハイライトされるチャネルの前に、あることができる。モバイルブロードキャスト受信機１１０は、チャネルがユーザによって選択される場合には、可能なディスプレイ(possible display)について、予測されたチャネルを復調し復号することができる。ユーザが現在のチャネルから相対的に遠い特定チャネルに到達しようとする場合には、ユーザは、「スクロールアップ(scroll up)」ボタンを連続的に押すことができる。この場合、モバイルブロードキャスト受信機１１０は、「スクロールアップ(scroll up)」ボタンが解除される(released)まで、急速に変化するハイライトされるチャネルを無視してもよく、ボタンの解除の後でハイライトされるチャネルを復調し、復号することができる。
【００３５】
ユーザは、チャネルをサーフィンするために、なんらかの周期的なレートで「スクロールアップ(scroll up)」ボタンをクリックすることができる。この場合には、モバイルブロードキャスト受信機１１０は、これらのタスクを実行するために十分な時間が与えられる、各ハイライトされるチャネルを処理しディスプレイすることができる。モバイルブロードキャスト受信機１１０はまた、ユーザがこの方向にナビゲートすることを予期して、現在ハイライトされるチャネルの前に１つまたは複数のチャネルを処理することができる（リソースが利用可能である場合）。例えば、４つのチャネル１、２、３、及び４が１から４まで順序づけられる場合、モバイルブロードキャスト受信機１１０は、チャネル１上にある間に、チャネルアップを受信すると、チャネル２及び３を獲得することを開始することができる。モバイルブロードキャスト受信機１１０は、チャネル２を放棄し、チャネル２上にある間にチャネルを受信すると、チャネル３及び４を獲得することを開始することができる。モバイルブロードキャスト受信機１１０はまた、マルチプル方向で（例えばチャネルスクロールの反対方向で）マルチプルチャネルを獲得することを開始することができる。代替的に、モバイルブロードキャスト受信機は、チャネルがスクロールされている間に、フォーカスのチャネル(the channel of focus)を直前に先行するまたは続く近隣チャネル上でパケットを開くように構成されることができる。
【００３６】
モバイルブロードキャスト受信機１１０はまた、ユーザの履歴または優先度、各チャネル上のコンテンツ等のような他の情報に基づいて、チャネルを予測することができる。モバイルブロードキャスト受信機１１０は、そのコンテンツがユーザによって好まれるコンテンツのうちの１つと整合する場合には、予測されるチャネルを復調し復号することができる。
【００３７】
図４は、チャネル予測を用いてブロードキャスト情報を受信するためのプロセス４００の設計を示す。プロセス４００は、モバイルブロードキャスト受信機１１０によって実行されることができる。チャネルはユーザ入力に基づいて予測されることができる（ブロック４１２）。一設計では、チャネルをハイライトするユーザ入力が受信されることができ、そのハイライトされるチャネルまたは、ハイライトされるチャネルの先のチャネルは、予測されたチャネルとして選択されることができる。別の設計では、ユーザ嗜好は、時間期間にわたってユーザ入力に基づいて決定されることができ、ユーザ嗜好に整合するコンテンツを有するチャネルは、予測されたチャネルとして選択されることができる。予測されたチャネルは、チャネルのユーザ選択の前にモバイルブロードキャスト受信機において処理されることができる（ブロック４１４）。ユーザによって選択される場合には、予測されたチャネルからのコンテンツが提供されることができる（ブロック４１６）。
【００３８】
別の態様では、モバイルブロードキャスト受信機１１０は、ドラッグ・アンド・ドロップ・ユーザインタフェースをサポートする。このユーザインタフェースは、ユーザインタラクションを簡潔にする、及び／または、より多くの特徴及び柔軟性をサポートすることができる。
【００３９】
図５は、ドラッグ・アンド・ドロップ・ユーザインタフェースをサポートするディスプレイスクリーン５００の例を示す。この例では、ディスプレイスクリーン５００は、メインエリア５１０、ディスプレイウィンドウ５２０、及びローンチウィンドウ５３０ａ及びローンチウィンドウ５３０ｂを含む。メインエリア５１０は、選択されたチャネルからのコンテンツ、メニュー、アイコン等を示すことができる。ディスプレイウィンドウ５２０は、ＥＳＧからチャネルを示すことができる。ローンチウィンドウ５３０ａとローンチウィンドウ５３０ｂは、ビデオ／オーディオ／データ（例、株式相場または他のストリーミングデータ）アプリケーションをローンチするために使用されることができる。各ローンチウィンドウ５３０は、特定のビデオ／オーディオ／データ・アプリケーション、メインエリア５１０内の特定のディスプレイエリア、特定のディスプレイモードなどと関連づけられることができる。
【００４０】
ユーザは、ディスプレイウィンドウ５２０内のチャネルをハイライトし、そして、モバイルブロードキャスト受信機に新しいウィンドウ５３０ａまたは５３０ｂをローンチさせる、メインディスプレイ５１０上へと（あるいは、モバイルブロードキャスト受信機はマルチプルディスプレイを有する場合には、第１のメインディスプレイ５１０ａ、第２のメインディスプレイ５１０ｂのうちの１つの上へと−図示されず）ハイライトされるチャネルをドラッグ・アンド・ドロップすることができる。モバイルブロードキャスト受信機１１０は、ハイライトされるチャネルがドロップされるローンチウィンドウ５３０ａまたはローンチウィンドウ５３０ｂと関連づけられたアプリケーションをローンチすることができる。ハイライトされるチャネルは、選択されたローンチウィンドウと関連づけられたディスプレイウィンドウで処理されディスプレイされることができる。
【００４１】
ユーザは、別のチャネルをハイライトし、そして別のローンチウィンドウを引き起こすメインディスプレイ５１０上へとハイライトされるチャネルをドラッグ・アンド・ドロップすることができる。モバイルブロードキャスト受信機１１０は、このローンチウィンドウと関連づけられたアプリケーションをローンチすることができる。その後で、ハイライトされるチャネルは、このローンチウィンドウと関連づけられたディスプレイウィンドウにおいて、処理されディスプレイされることができる。マルチプルチャネルは、同時に、サイド・バイ・サイドディスプレイ上で、または、ピクチャ・イン・ピクチャで、ディスプレイされることができる。
【００４２】
図６は、ドラッグ・アンド・ドロップ特徴を備えたブロードキャスト情報を受信するためのプロセス６００の設計を示す。プロセス６００はモバイルブロードキャスト受信機１１０によって実行されることができる。モバイルブロードキャスト受信機における第１のウィンドウ上へとハイライトされるチャネルをドラッグ・アンド・ドロップするユーザ入力は、受信されることができる（ブロック６１２）。ハイライトされるチャネルは、電子サービスガイドをディスプレイするウィンドウからドラッグされることができる。第１のウィンドウと関連づけられたアプリケーションは、アクティベートされることができる（ブロック６１４）。ハイライトされるチャネルは、アプリケーションで処理されることができる（ブロック６１６）。ハイライトされるチャネルからのコンテンツは、モバイルブロードキャスト受信機における第２のウィンドウ上でディスプレイされることができる（ブロック６１８）。第２のウィンドウのサイズ及び／または配置は、第１のウィンドウと関連づけられた情報に基づいて、決定されることができ、または代替的には、第２のウィンドウサイズ及び／または配置は、ユーザ定義されてもよい。
【００４３】
モバイルブロードキャスト受信機における第３のウィンドウ上へと第２のハイライトされるチャネルをドラッグ・アンド・ドロップするユーザ入力が受信されることができる（ブロック６２０）。第３のウィンドウと関連づけられた第２のアプリケーションは、アクティベートされることができる（ブロック６２２）。第２のハイライトされるチャネルは、第２のアプリケーションで処理されることができる（ブロック６２４）。第２のハイライトされるチャネルからのコンテンツは、モバイルブロードキャスト受信機における第４のウィンドウ上でディスプレイされることができる（ブロック６２６）。２つのハイライトされるチャネルについての第２のウィンドウと第４のウィンドウは、非オーバーラップしていてもよく、サイド・バイ・サイドでディスプレイされてもよい。あるいは、第２のウィンドウと第４のウィンドウは、オーバーラップしていてもよく、ピクチャ・イン・ピクチャでディスプレイされてもよい。
【００４４】
別の態様では、さらなる情報はブロードキャストストリームと関連づけられることができる。さらなる情報は、製品情報、宣伝情報、番組/チャネル情報などを含むことができる。さらなる情報は、ブロードキャストストリーム内の帯域内で送信され、前に受信され、そして、モバイルブロードキャスト受信機１１０上で保存されてもよく、または、必要であれば、ダウンロードされてもよい。逆方向リンク(あるいはアップリンク)は、さらなる情報のリクエストを送信するためにセットアップされることができ、その後で、それはリクエストに応じて順方向リンク(あるいはダウンリンク)上で送信されることができる。
【００４５】
ユーザは、例えばポインティングデバイスで、ブロードキャストストリームを選択することができる。アプリケーションはユーザ選択に応じてローンチされることができる。アプリケーションは、ブロードキャストストリームと関連づけられたさらなる情報を検索し、ユーザに対してさらなる情報を提示することができる。さらなる情報は、同じウィンドウ、あるいは異なるウィンドウで提示されることができる。ユーザはまた、ディスプレイ５１０上へデータストリームをドラッグ・アンド・ドロップすることができ、新しい専用ウィンドウは、そのデータストリームだけのために開くであろう。
【００４６】
図７は、さらなる情報を備えたブロードキャスト情報を受信するためのプロセス７００の設計を示す。プロセス７００は、モバイルブロードキャスト受信機１１０によって実行されることができる。ブロードキャストストリームは、モバイルブロードキャスト受信機上でディスプレイされることができる。（ブロック７１２）ブロードキャストストリームのユーザ選択が受信されることができる。（ブロック７１４）ブロードキャストストリームと関連づけられたさらなる情報は、ユーザ選択に応じて検索されることができる（ブロック７１６）。ブロック７１６の場合、さらなる情報は、ブロードキャストストリームにおいて帯域内で送信されることができ、ブロードキャストストリームから検索されることができる。さらなる情報はまた、ブロードキャストストリームのユーザ選択の前にモバイルブロードキャスト受信機において保存されることができる。さらなる情報はまた、ブロードキャストストリームのユーザ選択を受信することに応じてダウンロードされることができる。さらなる情報は、ブロードキャストストリームによって提示された製品のための情報、製品のための宣伝情報、ブロードキャストストリームのための番組／チャネル情報、ある他の情報、あるいはそれらの組み合わせを含むことができる。さらなる情報は、モバイルブロードキャスト受信機上で提示されることができる（ブロック７１８）。
【００４７】
別の態様では、モバイルブロードキャスト受信機１１０は、ブロードキャストストリームを復調し復号し、外部デバイス１５０へコンテンツを送信する。外部デバイス１５０はディスプレイユニット１５６上でコンテンツをディスプレイすることができる。モバイルブロードキャスト受信機１１０は、相対的に小さいディスプレイユニット１２２を備えた、ハンドヘルドデバイス（例、セルラ電話）であってもよい。外部デバイス１５０は、より大きな及び／またはより高い解像度のディスプレイユニット１５６を有する、より大きなデバイスであってもよい（例、ラップトップコンピュータまたはデジタルテレビ）。より大きなディスプレイユニット１５６上でコンテンツをディスプレイすることは、ブロードキャストストリームのユーザ閲覧を改善することができる。
【００４８】
別の態様では、モバイルブロードキャスト受信機１１０は、ブロードキャストストリームを部分的に処理し、外部デバイス１５０は、ブロードキャストストリームの処理を完了する。この受信機アーキテクチャは、さらなるブロードキャストポータビリティ及びユーザ柔軟性を提供することができる。
【００４９】
ブロードキャスト受信機チェインは、例えばチャネル復調、チャネル復号、ビデオ／音声解凍、プロトコル層処理等のような様々な機能を含むことができる。これらの様々な機能は、モバイルブロードキャスト受信機１１０のような単独デバイスによって実行されることができる。代替的に、マルチプルデバイスは、ブロードキャスト受信機チェインにおける機能を実行することができ、そしてそれは、モバイル環境において、ブロードキャストストリーム（例、ビデオ／オーディオストリーム）を受信するための、さらなるユーザポータビリティ及び柔軟性を提供することができる。１つのデバイス（例、モバイルブロードキャスト受信機１１０）は、チャネル復調とチャネル復号のような物理層の受信機機能を実行することができる。別のデバイス（外部デバイス１５０）は、ビデオ／オーディオ解凍とプロトコル層処理を実行し、さらにディスプレイ機能性を提供することができる。
【００５０】
一般的に、ブロードキャスト受信機チェインにおける機能は、様々な方法でマルチプルデバイスの中で分割されることができる。異なるデバイスの中の受信機機能の区分化(partitioning)は、下記のような様々なファクタに基づく。
【００５１】
・プロセッシングパワー(processing power)―モバイルブロードキャスト受信機１１０は、より少ないプロセッシングパワーを必要とするタスクを実行し、パワー効率を改善することができる。
【００５２】
・モビリティ(mobility)―モバイルブロードキャスト受信機１１０は、モビリティを改善するためにより少ないフォームファクタを有することができる。
【００５３】
・セキュリティ(security)―モバイルブロードキャスト受信機１１０は、暗号化機能を含むことができるので、ユーザは、ヒストグラム／自身のブロードキャストサービス加入を採択することができ、１以上の外部デバイス上でブロードキャストサービス加入によってカバーされたコンテンツを受信することができる。
【００５４】
別の態様では、モバイルブロードキャスト受信機１１０は、１以上のブロードキャストストリームを受信し処理し、同じ時間または異なる時間で、マルチプル外部デバイスに対して１以上のブロードキャストストリームのための出力データ（例、復号されたデータまたはコンテンツ）を送信する。モバイルブロードキャスト受信機１１０と外部デバイスとの間の通信リンクは、無線リンク（例、ＩＥＥＥ８０２．１１、Ｂｌｕｅｔｏｏｔｈ（登録商標）等）、及び／または、ワイヤー・ライン・リンク（例、ＬＡＮ）であってもよい。モバイルブロードキャスト受信機１１０からの送信は、ポイント・ツー・ポイント、あるいはマルチキャスト、であってもよく、そして、ワイヤレスまたはワイヤー・ラインのネットワーク内にあってもよい。モバイルブロードキャスト受信機１１０は、すべての外部デバイスに対して、同じ出力データを送ることができる。代替的に、モバイルブロードキャスト受信機１１０は、異なる外部デバイスに対して、異なる出力データを送ることができる。
【００５５】
外部デバイスは、その外部デバイス内のディスプレイユニット上の提示の準備ができているコンテンツを受信することができる。あるいは、外部デバイスは、モバイルブロードキャスト受信機１１０から、復号されたデータを受信し、そして、解凍、及び／または、ディスプレイユニット上の表示に適切なコンテンツを得るために復号されたデータに関する他の処理、を実行することができる。モバイルブロードキャスト受信機１１０は、選択された時間で、１つまたは複数のデバイス上でディスプレイされることができる様々なコンテンツをユーザが選択する、マルチキャストサーバとして作用することができる。
【００５６】
図８は、マルチプルデバイスを用いてブロードキャストストリームを処理しディスプレイするためのプロセス８００の設計を示す。ブロードキャストストリームは、出力データを得るためにモバイルブロードキャスト受信機において処理されることができる（ブロック８１２）。出力データは、さらなる処理及び／またはディスプレイのために、第１の外部デバイスに対して送信されることができる（ブロック８１４）。一設計では、出力データは、ブロードキャストストリームからのコンテンツを備え、第１の外部デバイスはコンテンツをディスプレイする。別の設計では、モバイルブロードキャスト受信機は、出力データを得るためにブロードキャストストリームを復調し復号し、第１の外部デバイスは、ブロードキャストストリームからのコンテンツを得るために出力データを解凍する。したがって、出力データは、（ｉ）ディスプレイに適したコンテンツ、または、（ｉｉ）ディスプレイに適したコンテンツを得るために第１の外部デバイスによってさらに処理されるべき中間の／復号されたデータ、を備えることができる。
【００５７】
出力データは、さらなる処理及び／またはディスプレイのために、第２の外部デバイスへ送信されることができる（ブロック８１６）。出力データは、マルチキャスト送信を介して、第１の外部デバイスと第２の外部デバイスに対して同時に送信されることができる。あるいは、出力データは、ポイント・ツー・ポイント伝送を介して、第１の外部デバイスと第２の外部デバイスに対して別々に送信されることができる。
【００５８】
別の態様では、モバイルブロードキャスト受信機１１０は、ディスプレイユニット１２２上で、または、ディスプレイユニット１２２ａ、１２２ｂなどの１つまたは複数の上で（図示されず）、ライブコンテンツと保存されたコンテンツとを同時にディスプレイする。モバイルブロードキャスト受信機１１０は、ユーザによって選択されたチャネルを復号し、そして、例えばユーザによって指図されるように、メモリ１３２において、選択されたチャネルからコンテンツを保存することができる。その後で、モバイルブロードキャスト受信機１１０は、ユーザによって選択されたチャネルを処理し、選択されたチャネルからライブコンテンツを得ることができる。モバイルブロードキャスト受信機１１０は、ディスプレイユニット１２２上で、保存されたコンテンツ（例、ユーザ選択に応じている）と共にライブコンテンツをディスプレイすることができる。ライブコンテンツと保存されたコンテンツは、異なる時間の同じチャネルから受信されてもよく、または、異なるチャネルから受信されてもよい。
【００５９】
図９は、ライブコンテンツと保存されたコンテンツとを同時にディスプレイするプロセス９００の設計を示す。プロセス９００は、モバイルブロードキャスト受信機１１０によって実行されることができる。第１のブロードキャストストリームは、第１のブロードキャストストリームからのライブコンテンツを得るために、モバイルブロードキャスト受信機において処理されることができる（ブロック９１２）。ライブコンテンツと共に保存されたコンテンツをディスプレイするユーザ選択が受信されることができる（ブロック９１４）。保存されたコンテンツは、その後でモバイルブロードキャスト受信機においてメモリから検索されることができる（ブロック９１６）。第１のブロードキャストストリームを処理する前に、別のブロードキャストストリームは、モバイルブロードキャスト受信機において処理されることができ、このブロードキャストストリームからのコンテンツは、メモリにおいて保存されることができる。保存されたコンテンツはまた、他の方法で得られた他のコンテンツであってもよい。いずれの場合においても、ライブコンテンツと保存されたコンテンツは、モバイルブロードキャスト受信機において同時にディスプレイされることができる（ブロック９１８）。
【００６０】
別の態様では、モバイルブロードキャスト受信機１１０は、マルチプルブロードキャストストリームを同時に受信し、処理し、そしてそれは、１つまたは複数のディスプレイユニット上でディスプレイされることができる。一設計では、マルチプルブロードキャストストリームは、モバイルブロードキャスト受信機１１０におけるディスプレイユニット１２２上で提示されることができる。別の設計では、１つのブロードキャストストリームは、モバイルブロードキャスト受信機１１０におけるディスプレイユニット１２２上で提示されることができ、別のブロードキャストストリームは、外部デバイス１５０におけるディスプレイユニット１５６上で提示されることができる。さらに別の設計では、マルチプルブロードキャストストリームは、外部デバイス１５０におけるディスプレイユニット１５６上で提示されることができる。一般に、任意の数のブロードキャストストリームが同時に受信されることができ、任意の数のディスプレイユニット上で提示されることができる。
【００６１】
図１０は、マルチプルブロードキャストストリームを同時に受信しディスプレイするプロセス１０００の設計を示す。マルチプルブロードキャストストリームは、モバイルブロードキャスト受信機において受信されることができる（ブロック１０１２）。マルチプルブロードキャストストリームは、少なくとも１つのディスプレイユニット上でディスプレイされることができる（ブロック１０１４）。一設計では、マルチプルブロードキャストストリームは、モバイルブロードキャスト受信機における１つのディスプレイユニット上でディスプレイされる。別の設計では、ブロードキャストストリームは、モバイルブロードキャストユニットにおけるマルチプルのディスプレイユニット上でディスプレイされることができる。別の設計では、第１のブロードキャストストリームは、モバイルブロードキャスト受信機における第１のディスプレイユニット上でディスプレイされることができ、第２のブロードキャストストリームは、外部デバイスにおける第２のディスプレイユニット上でディスプレイされることができる。さらに別の設計では、マルチプルブロードキャストストリームは、外部デバイスにおける１つのディスプレイユニット上でディスプレイされることができる。
【００６２】
別の態様では、モバイルブロードキャスト受信機１１０は、ユーザ統計を集め、そして、指定されたネットワークエンティティ、例えばコンテンツプロバイダ、ネットワークオペレータ等、に戻って、その集められた統計を送信する。集められた統計は、ユーザの閲覧傾向についてであって、また、視聴されたコンテンツのタイプ、コンテンツ検索の頻度、コンテンツ検索の時間、コンテンツ検索のロケーション、等のような情報を含むことができる。ユーザ、コンテンツプロバイダ、ネットワークオペレータ、あるいは他のあるエンティティによって開始されるとき、集められた統計は報告されることができる。報告が開始されるとき、集められた統計は、プロセッサ／コントローラ１３０によって処理され、送信機（ＴＭＴＲ）１１４によって条件付けられ、そして、指定されたネットワークエンティティに対して逆方向リンクを介して送信されることができる。逆方向リンクは、無線リンク（図１で示されるような）あるいはワイヤー・ライン・リンクであってもよい。集められた統計は、コンテンツが送信されるときの時間を選択するために、及び／または、他の目的のために、将来送信するコンテンツを選択するために使用されることができる。
【００６３】
図１１は、ユーザ統計を集め報告するためのプロセス１１００の設計を示す。プロセス１１００は、モバイルブロードキャスト受信機１１０によって実行されることができる。ブロードキャストコンテンツのためのユーザ選択は、時間期間にわたって受信されることができる（ブロック１１１２）。ユーザ閲覧傾向の統計は、ユーザ選択に基づいて決定されることができ、モバイルブロードキャスト受信機において集められることができる（ブロック１１１４）。集められた統計は、視聴されたコンテンツのタイプ、コンテンツ検索の頻度、コンテンツ検索の時間、コンテンツ検索のロケーション、他のある情報、あるいはそれらの組み合わせを備えることができる。集められた統計は、指定されたネットワークエンティティに対して報告される（例えば、セルラシステムにおける逆方向リンクを介して送信される）ことができる（ブロック１１１６）。
【００６４】
当業者は、情報と信号は様々な異なる技術及び技法のいずれかを使用して表わされることができるということを理解するであろう。例えば、上記の説明の全体にわたって参照されることができる、データ、命令、コマンド、情報、信号、ビット、シンボル、及びチップは、電圧、電流、電磁波、磁場あるいは磁粒子、光場あるいは光学粒子、あるいはそれらのいずれの組み合わせ、によって表わされることができる。
【００６５】
当業者は、様々な説明のための論理ブロック、モジュール、回路、及び、ここに開示された実施形態に関連して説明されたアルゴリズムステップは、電子ハードウェア、コンピュータソフトウェアあるいは両方の組合せとしてインプリメントされることができる、ということをさらに理解するであろう。ハードウェアとソフトウェアのこの互換性を明瞭に説明するために、様々な説明のためのコンポーネント、ブロック、モジュール、回路及びステップが、一般に、それらの機能性という観点から、上記に説明されてきた。そのような機能性が、ハードウェアあるいはソフトウェアとしてインプリメントされるかどうかは、特定のアプリケーションと全体のシステムに課された設計制約(design constraints)によって決まる。熟練職人は、各特定のアプリケーションについての様々な方法で、説明された機能性をインプリメントすることができるが、そのようなインプリメンテーションの決定は、本発明の範囲からの逸脱を生じさせるものとして解釈されるべきでない。
【００６６】
ここでの開示に関連して説明された様々な説明のための論理、論理ブロック、モジュール及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、あるいは他のプログラマブル論理回路、ディスクリートゲートあるいはトランジスタロジック、ディスクリートハードウェアコンポーネント、あるいは、ここに説明された機能を実行するように設計されたそれらのいずれの組み合わせ、でインプリメントされる、あるいは実行されることができる。汎用プロセッサは、マイクロプロセッサであってもよいが、代替として、プロセッサは、任意の従来のプロセッサ、コントローラ、マイクロコントローラ、あるいはステートマシン(state machine)であってもよい。プロセッサはまた、コンピューティングデバイス(computing devices)の組み合わせ、例えば、ＤＳＰとマイクロプロセッサとの組み合わせ、複数のマイクロプロセッサ、ＤＳＰコアと併用しての１以上のマイクロプロセッサ、あるいはいずれの他のそのような構成のもの、としてインプリメントされることができる。
【００６７】
ここにおける開示と関連して記載された方法またはアルゴリズムのステップは、直接ハードウェアにおいて、プロセッサによって実行されたソフトウェアモジュールにおいて、あるいは２つの組み合わせにおいて、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭあるいは当技術分野において知られている記憶媒体のいずれの他の形態、において存在する(reside)ことができる。例示的な記憶媒体は、プロセッサに結合されるので、プロセッサは、記憶媒体から情報を読み取ることができ、また記憶媒体に情報を書き込むことができる。あるいは、記憶媒体は、プロセッサに組み込まれていてもよい。プロセッサと記憶媒体は、ＡＳＩＣにおいて常駐していてもよい。さらに、ＡＳＩＣは、ユーザ機器に存在していてもよい。あるいは、プロセッサと記憶媒体は、ユーザ端末において、ディスクリートコンポーネントとして存在していてもよい。
【００６８】
１つまたは複数の例示的な設計では、説明された機能(functions)は、ハードウェア、ソフトウェア、ファームウェアあるいはそれらのいずれかの組み合わせにおいてインプリメントされることができる。ソフトウェアでインプリメントされる場合には、機能は、コンピュータ可読媒体上で、1つまたは複数の命令あるいはコードとして、記憶されてもよく、あるいは、送信されることができる。コンピュータ可読媒体は、ある場所から別の場所へのコンピュータプログラムの転送(transfer)を容易にするいずれの媒体も含んでいる、コンピュータ記憶媒体(computer storage media)と通信媒体(communication media)の両方を含む。記憶媒体は、汎用コンピュータまたは専用コンピュータによってアクセスされることができるいずれの利用可能な媒体であることができる。例として、限定されないが、そのようなコンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望ましいプログラムコード手段を保存あるいは搬送するために使用されることができる、また、汎用コンピュータまたは専用コンピュータ、または、汎用プロセッサまたは専用プロセッサ、によってアクセスされることができる、任意の他の媒体も備えることができる。また、いずれの接続(connection)もコンピュータ可読メディア(computer-readable medium)と適切に名付けられる。例えば、ソフトウェアがウェブサイト、サーバ、あるいは、同軸ケーブル、光ファイバーケーブル、ツイストペア(twisted pair)、デジタル加入者ライン(digital subscriber line)(ＤＳＬ)、あるいは赤外線、無線、及びマイクロ波のような無線技術を使用している他の遠隔ソース、から送信される場合には、そのときには、同軸ケーブル、光ファイバーケーブル、ツイストペア、ＤＳＬ、あるいは赤外線、無線、及びマイクロ波のような無線技術は、媒体(medium)の定義に含まれている。ここに使用されているように、ディスク(disk)とディスク(disc)は、コンパクトディスク(compact disc)(ＣＤ)、レーザーディスク(登録商標)(laser disc)、光学ディスク(optical disc)、デジタル汎用ディスク(digital versatile disc)（ＤＶＤ）、フロッピー(登録商標)ディスク(disk)及びブルーレイディスク(blu-ray disc)を含んでおり、「ディスク(disks)」は、大抵、データを磁気で再生しているが、「ディスク(discs)」は、レーザーで光学的に再生する。上記の組み合わせはまた、コンピュータ可読媒体の範囲内に含まれるべきである。
【００６９】
本開示の前述の説明は、いずれの当業者も本開示を作るまたは使用することを可能にするために提供されている。本開示に対する様々な修正は、当業者にとっては容易に明らかであろう、そして、ここにおいて定義された包括的な原理は、本開示の精神あるいは範囲から逸脱することなく、他の変形に適用されることができる。したがって、本開示は、ここにおいて開示された例と設計に限定されることは意図されておらず、ここにおいて開示された原理及び新規な特徴に整合する最も広い範囲が与えられるべきである。
以下に本件出願当初の特許請求の範囲に記載された発明を付記する。
［１］ブロードキャスト情報を受信する方法であって、ブロードキャストについてのユーザ嗜好を保存することと、モバイルブロードキャスト受信機において、入ってくるブロードキャストコンテンツをモニタすることと、前記入ってくるブロードキャストコンテンツとブロードキャストコンテンツについての前記ユーザ嗜好とに基づいて、ユーザ通知を提供する、または、アプリケーションを自動的にローンチすることと、を備えている方法。
［２］時間期間にわたって異なるブロードキャストコンテンツについてのユーザ選択を受信することと、前記ユーザ選択に基づいて、ブロードキャストコンテンツについての前記ユーザ嗜好を決定することと、をさらに備えている［１］に記載の方法。
［３］ブロードキャストコンテンツについての前記ユーザ嗜好を識別するユーザ入力を受信すること、をさらに備えている［１］に記載の方法。
［４］ユーザ通知を提供すること、または、アプリケーションを自動的にローンチすることは、指定された時間の間のみに、ユーザ通知を提供すること、または、アプリケーションを自動的にローンチすることを備えている、［１］に記載の方法。
［５］モバイルブロードキャスト受信機のための装置であって、ブロードキャストについてのユーザ嗜好を保存するように構成されたメモリと；入ってくるブロードキャストコンテンツをモニタするように、前記入ってくるブロードキャストコンテンツとブロードキャストについての前記ユーザ嗜好とに基づいて、ユーザ通知を提供する、または、アプリケーションを自動的にローンチするように、構成された少なくとも１つのプロセッサと；
を備えている装置。
［６］前記少なくとも１つのプロセッサは、時間期間にわたって異なるブロードキャストコンテンツについてのユーザ選択を受信するように、前記ユーザ選択に基づいて、ブロードキャストコンテンツについてのユーザ嗜好を決定するように、をさらに構成されている、［５］に記載の装置。
［７］前記少なくとも１つのプロセッサは、ブロードキャストコンテンツについての前記ユーザ嗜好を識別するユーザ入力を受信するように構成されている、［５］に記載の装置。
［８］ブロードキャスト情報を受信するための装置であって、ブロードキャストについてのユーザ選択を保存するための手段と、モバイルブロードキャスト受信機において、入ってくるブロードキャストコンテンツをモニタするための手段と、前記入ってくるブロードキャストコンテンツと、ブロードキャストについての前記ユーザ選択と、に基づいて、ユーザ通知を提供する、または、アプリケーションを自動的にローンチするための手段と、を備えている装置。
［９］時間期間にわたって異なるブロードキャストコンテンツについてのユーザ選択を受信するための手段と、前記ユーザ選択に基づいて、ブロードキャストコンテンツについてのユーザ嗜好を決定するための手段と、をさらに備えている［８］に記載の装置。
［１０］ブロードキャストコンテンツについての前記ユーザ嗜好を識別するユーザ入力を受信するための手段、をさらに備えている［８］に記載の装置。
［１１］コンピュータプログラムプロダクトであって、コンピュータ可読媒体を備え、前記コンピュータ可読媒体は、少なくとも１つのコンピュータに、ブロードキャストについてのユーザ嗜好を保存させるためのコードと、前記少なくとも１つのコンピュータに、モバイルブロードキャスト受信機において、入ってくるブロードキャストコンテンツをモニタさせるためのコードと、前記少なくとも１つのコンピュータに、前記入ってくるブロードキャストコンテンツとブロードキャストについての前記ユーザ嗜好とに基づいて、ユーザ通知を提供させる、または、アプリケーションを自動的にローンチさせるためのコードと、を備えている、コンピュータプログラムプロダクト。
［１２］前記コンピュータ可読媒体は、前記少なくとも１つのコンピュータに、時間期間にわたって異なるブロードキャストコンテンツについてのユーザ選択を受信させるためのコードと、前記少なくとも１つのコンピュータに、前記ユーザ選択に基づいてブロードキャストコンテンツについてのユーザ嗜好を決定させるためのコードと、をさらに備えている、［１１］に記載のコンピュータプログラムプロダクト。
［１３］ブロードキャスト情報を受信する方法であって、ユーザ入力に基づいてチャネルを予測することと、前記チャネルのユーザ選択の前に、モバイルブロードキャスト受信機において前記予測されたチャネルを処理することと、選択された場合には、前記予測されたチャネルからコンテンツを提供することと、を備えている方法。
［１４］ユーザ入力に基づいてチャネルを予測することは、チャネルをハイライトするユーザ入力を受信することと、前記予測されたチャネルとして前記ハイライトされるチャネル、または、前記予測されたチャネルとして前記ハイライトされるチャネルの先のチャネル、のいずれかを選択することと、を備えている、［１３］に記載の方法。
［１５］ユーザ入力に基づいてチャネルを予測することは、時間期間にわたってユーザ入力に基づいてユーザ嗜好を決定することと、前記予測されたチャネルとして前記ユーザ嗜好に整合するコンテンツを有するチャネルを選択することと、を備えている、［１３］に記載の方法。
［１６］モバイルブロードキャスト受信機のための装置であって、ユーザ入力に基づいてチャネルを予測するように、前記チャネルのユーザ選択の前にモバイルブロードキャスト受信機において、前記予測されたチャネルを処理するように、選択された場合には、前記予測されたチャネルからコンテンツを提供するように、構成された少なくとも１つのプロセッサ、を備えている装置。
［１７］前記少なくとも１つのプロセッサは、チャネルをハイライトするユーザ入力を受信するように、前記予測されたチャネルとして前記ハイライトされるチャネル、または、前記予測されたチャネルとして前記ハイライトされるチャネルの先のチャネル、のいずれかを選択するように、さらに構成されている、［１６］に記載の装置。
［１８］前記少なくとも１つのプロセッサは、時間期間にわたってユーザ入力に基づいてユーザ嗜好を決定するように、前記予測されたチャネルとして前記ユーザ嗜好に整合するコンテンツを有するチャネルを選択するように、をさらに構成されている、［１６］に記載の装置。
［１９］ブロードキャスト情報を受信する方法であって、モバイルブロードキャスト受信機における第１のウィンドウ上へと、ハイライトされるチャネルをドラッグ・アンド・ドロップするためにユーザ入力を受信することと、前記第１のウィンドウと関連づけられたアプリケーションをアクティベートすることと、前記アプリケーションで前記ハイライトされるチャネルを処理することと、前記モバイルブロードキャスト受信機における第２のウィンドウ上で前記ハイライトされるチャネルからのコンテンツをディスプレイすることと、を備えている方法。
［２０］前記ハイライトされるチャネルをドラッグ・アンド・ドロップするためにユーザ入力を受信することは、電子サービスガイド（ＥＳＧ）をディスプレイしている第３のウィンドウから、前記ハイライトされるチャネルをドラッグするためにユーザ入力を受信することを備えている、［１９］に記載の方法。
［２１］前記モバイルブロードキャスト受信機における第３のウィンドウ上へと、第２のハイライトされるチャネルをドラッグ・アンド・ドロップするためにユーザ入力を受信することと、前記第３のウィンドウと関連づけられた第２のアプリケーションをアクティベートすることと、前記第２のアプリケーションで前記第２のハイライトされるチャネルを処理することと、前記モバイルブロードキャスト受信機における第４のウィンドウ上で前記第２のハイライトされるチャネルからのコンテンツをディスプレイすることと、をさらに備えている［１９］に記載の方法。
［２２］前記第２のウィンドウと前記第４のウィンドウは、非オーバーラップする方法で、サイド・バイ・サイドでディスプレイされる、オーバーラップする方法で、サイド・バイ・サイドでディスプレイされる、または、前記第２のウィンドウと第４のウィンドウの他方の中に、前記第２のウィンドウと第４のウィンドウのうちの１つが全体的に含まれるように、ピクチャ・イン・ピクチャ方法でディスプレイされる、方法のうちの１つにしたがって、位置づけされる、［２１］に記載の方法。
［２３］モバイルブロードキャスト受信機のための装置であって、第１のウィンドウ上へと、ハイライトされるチャネルをドラッグ・アンド・ドロップするためにユーザ入力を受信するように、前記第１のウィンドウと関連づけられたアプリケーションをアクティベートするように、前記アプリケーションで前記ハイライトされるチャネルを処理するように、第２のウィンドウ上のディスプレイのために前記ハイライトされるチャネルからコンテンツを提供するように、構成された少なくとも１つのプロセッサ、を備えている装置。
［２４］前記少なくとも１つのプロセッサは、前記第１のウィンドウと関連づけられた情報に基づいて、前記第２のウィンドウのサイズまたは配置を決定するように構成されている、［２３］に記載の装置。
［２５］前記少なくとも１つのプロセッサは、第３のウィンドウ上へと、第２のハイライトされるチャネルをドラッグ・アンド・ドロップするためにユーザ入力を受信するように、前記第３のウィンドウと関連づけられた第２のアプリケーションをアクティベートするように、前記第２のアプリケーションで前記第２のハイライトされるチャネルを処理するように、第４のウィンドウ上のディスプレイのために前記第２のハイライトされるチャネルからコンテンツを提供するように、構成されている、［２３］に記載の装置。
［２６］ブロードキャスト情報を受信する方法であって、モバイルブロードキャスト受信機上でブロードキャストストリームをディスプレイすることと、前記ブロードキャストストリームのユーザ選択を受信することと
前記ユーザ選択に応じて、前記ブロードキャストストリームと関連づけられたさらなる情報を検索することと、を備えている方法。
［２７］前記ユーザ選択に応じて検索された前記さらなる情報は、前記ブロードキャストストリームの一部として帯域内で送信されるさらなる情報と、なお、前記さらなる情報を検索するステップは、前記ブロードキャストストリームから前記さらなる情報を検索することを備えている；
前記ブロードキャストストリームの一部として帯域内で送信されるリンクを前記ユーザが選択することに応じて、他のワイヤードまたはワイヤレス通信手段を使用して、帯域外で検索されるさらなる情報と、なお、帯域外で検索された前記さらなる情報は、前記ブロードキャストストリームと同じウィンドウにおいて、または、別のウィンドウにおいて、のいずれかで、提示される；
のうちの１つに対応する、［２６］に記載の方法。
［２８］前記ブロードキャストストリームの前記ユーザ選択の前に、前記モバイルブロードキャスト受信機において前記さらなる情報を保存すること、をさらに備えている［２６］に記載の方法。
［２９］前記さらなる情報を前記検索することは、前記ブロードキャストストリームの前記ユーザ選択を受信することに応じて、前記さらなる情報をダウンロードすることを備えている、［２６］に記載の方法。
［３０］前記さらなる情報は、前記ブロードキャストストリームによって提示された製品についての情報、前記製品についての宣伝情報、前記ブロードキャストストリームについての番組情報、または、それらの組み合わせ、を備えることができる、［２６］に記載の方法。
［３１］モバイルブロードキャスト受信機のための装置であって、ディスプレイのためにブロードキャストストリームを提供するように、前記ブロードキャストストリームのユーザ選択を受信するように、前記ユーザ選択に応じて、前記ブロードキャストストリームと関連づけられたさらなる情報を検索するように、構成された少なくとも１つのプロセッサ、を備えている装置。
［３２］前記さらなる情報は、前記ブロードキャストストリームにおいて帯域内で送信され、前記少なくとも１つのプロセッサは、前記ブロードキャストストリームから前記さらなる情報を検索するように構成されている、［３１］に記載の装置。
［３３］前記少なくとも１つのプロセッサは、前記ブロードキャストストリームの前記ユーザ選択を受信することに応じて、前記さらなる情報をダウンロードするように構成されている、［３１］に記載の装置。
［３４］ブロードキャスト情報を受信する方法であって、出力データを得るためにモバイルブロードキャスト受信機においてブロードキャストストリームを処理することと、さらなる処理またはディスプレイのために第１の外部デバイスに対して前記出力データを送信することと、を備え、前記出力データは、ブロードキャストストリームからのコンテンツを備え、前記第１の外部デバイスは、前記コンテンツをディスプレイする、方法。
［３５］前記モバイルブロードキャスト受信機において前記ブロードキャストストリームを処理することは、前記出力データを得るために前記ブロードキャストストリームを復調し復号すること、を備え、前記第１の外部デバイスは、前記ブロードキャストストリームからのコンテンツを得るために前記出力データを解凍する、［３４］に記載の方法。
［３６］さらなる処理またはディスプレイのために第２の外部デバイスに対して前記出力データを送信すること、をさらに備えている［３４］に記載の方法。
［３７］前記出力データは、マルチキャスト送信を介して、前記第１の外部デバイスと前記第２の外部デバイスに対して同時に送信される、［３６］に記載の方法。
［３８］前記出力データは、ポイント・ツー・ポイント送信を介して、前記第１の外部デバイスと前記第２の外部デバイスに対して別々に送信される、［３６］に記載の方法。
［３９］モバイルブロードキャスト受信機のための装置であって、出力データを得るためにブロードキャストストリームを処理するように構成された少なくとも１つのプロセッサと、さらなる処理またはディスプレイのために第１の外部デバイスに対して前記出力データを送信するように構成された通信ユニットと、を備え、前記出力データは、前記ブロードキャストストリームからのコンテンツを備え、前記第１の外部デバイスは、前記コンテンツをディスプレイする、装置。
［４０］前記少なくとも１つのプロセッサは、前記出力データを得るために前記ブロードキャストストリームを復調し復号するように、構成されており、前記第１の外部デバイスは、前記ブロードキャストストリームからのコンテンツを得るために、前記出力データを解凍する、［３９］に記載の装置。
［４１］前記通信ユニットは、さらなる処理またはディスプレイのために第２の外部デバイスに対して前記出力データを送信するように構成されている、［３９］に記載の装置。
［４２］ブロードキャスト情報を受信する方法であって、前記第１のブロードキャストストリームからライブコンテンツを得るためにモバイルブロードキャスト受信機において第１のブロードキャストストリームを処理することと、前記モバイルブロードキャスト受信機において、メモリから、保存されたコンテンツを検索することと、前記モバイルブロードキャスト受信機において同時に前記ライブコンテンツと前記保存されたコンテンツとをディスプレイすることと、を備えている方法。
［４３］前記モバイルブロードキャスト受信機において第２のブロードキャストストリームを処理することと、前記ライブコンテンツと共にディスプレイするための後での使用のために、前記メモリにおいて前記第２のブロードキャストストリームからのコンテンツを保存することと、を更に備えている［４２］に記載の方法。
［４４］前記ライブコンテンツと共に前記保存されたコンテンツをディスプレイするためにユーザ選択を受信すること、をさらに備え、前記保存されたコンテンツは、前記ユーザ選択に応じて、検索され、ディスプレイされる、［４２］に記載の方法。
［４５］モバイルブロードキャスト受信機のための装置であって、選択されるとき、ディスプレイのためのコンテンツを保存するメモリと；前記第１のブロードキャストストリームからライブコンテンツを得るために第１のブロードキャストストリームを処理するように、前記メモリから、保存されたコンテンツを検索するように、前記モバイルブロードキャスト受信機における同時ディスプレイのために、前記ライブコンテンツと前記保存されたコンテンツとを提供するように、構成された少なくとも１つのプロセッサと；を備えている装置。
［４６］前記少なくとも１つのプロセッサは、第２のブロードキャストストリームを処理するように構成されており、前記メモリは、前記ライブコンテンツと共にディスプレイするための後での使用のために、前記第２のブロードキャストストリームからのコンテンツを保存するように構成されている、［４５］に記載の装置。
［４７］前記少なくとも１つのプロセッサは、前記ライブコンテンツと共に前記保存されたコンテンツをディスプレイするためにユーザ選択を受信するように、前記ユーザ選択に応じて前記保存されたコンテンツを検索するように、構成されている、［４５］に記載の装置。
［４８］ブロードキャスト情報を受信する方法であって、モバイルブロードキャスト受信機においてマルチプルブロードキャストストリームを受信することと、前記モバイルブロードキャスト受信機における少なくとも１つのディスプレイユニット上で前記マルチプルブロードキャストストリームをディスプレイすることと、を備えている方法。
［４９］前記マルチプルブロードキャストストリームをディスプレイすることは、前記モバイルブロードキャスト受信機における第１のディスプレイユニット上で第１のブロードキャストストリームをディスプレイすることと、外部デバイスにおける第２のディスプレイユニット上で第２のブロードキャストストリームをディスプレイすることと、を備えている方法。
［５０］前記マルチプルブロードキャストストリームをディスプレイすることは、外部デバイスにおける１つのディスプレイユニット上で前記マルチプルブロードキャストストリームをディスプレイすることを備えている、［４８］に記載の方法。
［５１］モバイルブロードキャスト受信機のための装置であって、    前記モバイルブロードキャスト受信機においてマルチプルブロードキャストストリームを受信するように、    前記モバイルブロードキャスト受信機における少なくとも１つのディスプレイユニット上のディスプレイのために、前記マルチプルブロードキャストストリームを提供するように、構成された少なくとも１つのプロセッサ、を備えている装置。
［５２］前記少なくとも１つのプロセッサは、前記モバイルブロードキャスト受信機における第１のディスプレイユニット上のディスプレイのために、第１のブロードキャストストリームを提供するように、外部デバイスにおける第２のディスプレイユニット上のディスプレイのために、第２のブロードキャストストリームを提供するように、構成されている、［５１］に記載の装置。
［５３］ブロードキャスト情報を受信する方法であって、モバイルブロードキャスト受信機においてユーザ閲覧傾向の統計を集めることと、指定されたネットワークエンティティに対して前記集められた統計を報告することと、を備えている方法。
［５４］ユーザ閲覧傾向の統計を集めることは、時間期間にわたって、ブロードキャストコンテンツについてのユーザ選択を受信することと、前記ユーザ選択に基づいて、ユーザ閲覧傾向の統計を決定することと、を備えている、［５３］に記載の方法。
［５５］前記集められた統計は、視聴されたコンテンツのタイプ、コンテンツ検索の頻度、コンテンツ検索の時間、コンテンツ検索のロケーション、または、それらの組み合わせ、を備えることができる、［５３］に記載の方法。
［５６］前記集められた統計を報告することは、セルラシステムにおいて、逆方向リンクを介して前記集められた統計を送信すること、を備えている、［５３］に記載の方法。
［５７］モバイルブロードキャスト受信機のための装置であって、前記モバイルブロードキャスト受信機においてユーザ閲覧傾向の統計を集めるように、指定されたネットワークエンティティに対して、前記集められた統計を報告するように、構成された少なくとも１つのプロセッサ、を備える装置。
［５８］前記少なくとも１つのプロセッサは、時間の期間にわたってブロードキャストコンテンツについてのユーザ選択を受信するように、前記ユーザ選択に基づいてユーザ閲覧傾向の前記統計を決定するように、構成されている、［５７］に記載の装置。
【図１】
0005746293.tif 000002
【図２】
0005746293.tif 000003
【図３】
0005746293.tif 000004
【図４】
0005746293.tif 000005
【図５】
0005746293.tif 000006
【図６】
0005746293.tif 000007
【図７】
0005746293.tif 000008
【図８】
0005746293.tif 000009
【図９】
0005746293.tif 000010
【図１０】
0005746293.tif 000011
【図１１】
0005746293.tif 000012